(57)【要約】【課題】記録紙の印刷位置での浮き上がりを低温時でも防止できるとともに、常温時には吸引手段の吸引力を必要以上に強くすることがないプリンターを提案すること。【解決手段】プリンター１は、印刷位置Ａの近傍の温度を検出する温度センサー２０と、検出された温度が基準温度以上か否かを判定する判定手段５９と、判定手段５９の判定結果に基づいて、吸引ファン３１の回転数を制御する吸引ファン出力制御手段６０とを備える。上位機器から印刷指令および印刷データを受信すると制御部５０は温度センサー２０から検出温度を取得し判定手段５９による判定を行う。吸引ファン出力制御手段６０は、検出温度が基準温度以上の場合には、基準温度に対応付けられたデューティ比の駆動パルス信号で吸引ファン３１を駆動し、検出温度が基準温度より下の場合には、最低温度に対応付けられたデューティ比の駆動パルス信号で吸引ファン３１を駆動する。【選択図】図６
2010201678.tif 000002
【特許請求の範囲】
【請求項１】
プラテンの表面に記録紙を吸引するための吸引手段を有するプリンターにおける記録紙の吸引力制御方法であって、
温度検出手段の検出温度を取得し、
取得された前記検出温度に基づいて、前記吸引手段による吸引力を制御することを特徴とするプリンターにおける記録紙の吸引力制御方法。
【請求項２】
請求項１に記載のプリンターにおける記録紙の吸引力制御方法において、
少なくとも電源が投入されたときに、前記検出温度を取得することを特徴とするプリンターにおける記録紙の吸引力制御方法。
【請求項３】
請求項１に記載のプリンターにおける記録紙の吸引力制御方法において、
少なくとも上位機器から印刷データを受信すると、前記検出温度を取得することを特徴とするプリンターにおける記録紙の吸引力制御方法。
【請求項４】
請求項３に記載のプリンターにおける記録紙の吸引力制御方法において、
前記印刷データの印刷が終了するまでの間、所定間隔で、前記検出温度を取得することを特徴とするプリンターにおける記録紙の吸引力制御方法。
【請求項５】
請求項１ないし４のうちのいずれかの項に記載のプリンターにおける記録紙の吸引力制御方法において、
前記検出温度が予め定めた基準温度以上か否かを判定し、前記基準温度よりも低い場合には前記吸引力を第１吸引力にし、前記基準温度以上の場合には前記吸引力を前記第１吸引力よりも弱い第２吸引力にすることを特徴とするプリンターにおける記録紙の吸引力制御方法。
【請求項６】
プラテンの表面に記録紙を吸引するための吸引手段を有するプリンターにおいて、
温度を検出する温度検出手段と、
前記温度検出手段の検出温度を取得し、前記検出温度に基づいて前記吸引手段による吸引力を制御する制御部とを有することを特徴とするプリンター。
【請求項７】
請求項６に記載のプリンターにおいて、
前記制御部は、少なくとも電源が投入されたときに、前記検出温度を取得することを特徴とするプリンター。
【請求項８】
請求項６に記載のプリンターにおいて、
前記制御部は、少なくとも上位機器から印刷データを受信すると、前記検出温度を取得することを特徴とするプリンター。
【請求項９】
請求項８に記載のプリンターにおいて、
前記制御部は、前記印刷データの印刷が終了するまでの間、所定間隔で前記検出温度を取得することを特徴とするプリンター。
【請求項１０】
請求項６ないし９のうちのいずれかの項に記載のプリンターにおいて、
前記吸引手段は、吸引ファンを含んでおり、
前記制御部は、前記吸引ファンの回転数を変えることにより前記吸引力を制御することを特徴とするプリンター。
【請求項１１】
請求項１０に記載のプリンターにおいて、
前記制御部は、前記検出温度が予め定めた基準温度以上か否かを判定する判定手段と、前記検出温度が前記基準温度よりも低い場合には、前記吸引ファンの回転数が第１回転数になるように前記吸引ファンを駆動制御し、前記検出温度が前記基準温度以上の場合には、前記吸引ファンの回転数が前記第１回転数よりも少ない第２回転数になるように前記吸引ファンを駆動制御する吸引ファン出力制御手段を備えていることを特徴とするプリンター。
【請求項１２】
請求項６ないし１１のうちのいずれかの項に記載のプリンターにおいて、
インクジェット印刷ヘッドを備えており、
前記温度検出手段は、インクの吐出制御を行うために前記インクジェット印刷ヘッドの近傍に取り付けられている温度センサーであることを特徴とするプリンター。
【発明の詳細な説明】
【技術分野】
【０００１】
本発明は、プラテンの表面に記録紙を吸引するための吸引手段の吸引力を、温度に応じて制御可能なプリンターおよびプリンターにおける記録紙の吸引力制御方法に関する。
【背景技術】
【０００２】
プリンターの中には、搬送される記録紙が印刷位置で浮き上がって印刷ヘッドと干渉することが無いように、印刷位置を規定しているプラテンの表面に記録紙を吸引するための吸引手段を有するものがある。吸引手段は、表面に吸引部を備えるプラテンと吸気ダクトなどを介して吸引部に接続されている吸引ファンとを有しており、吸引ファンが動作すると、吸引部から吸気が行われ、印刷位置を通過する記録紙の部分がプラテンの表面に吸引される。吸引された記録紙の部分はプラテンの表面に沿った平坦な状態とされるので、記録紙と印刷ヘッドとの干渉が回避される。
【０００３】
吸引手段を有するプリンターは、例えば、特許文献１、２に記載されている。特許文献１では、記録紙の張力状態の変化に基づいて吸引手段の吸引力を制御している。特許文献２では、印刷に用いる記録紙の種類に基づいて吸引手段の吸引力を制御している。
【先行技術文献】
【特許文献】
【０００４】
【特許文献１】特開２００１−２２００４０号公報
【特許文献２】特開平３−２７０号公報
【発明の概要】
【発明が解決しようとする課題】
【０００５】
記録紙は、温度が低くなると腰（剛性）が強くなり曲げに対する抵抗性が増すので、低温時において印刷位置を通過する記録紙を平坦な状態にするために必要な吸引力は、常温時に必要な吸引力と比較して強くなる。従って、吸引手段の吸引力を、常温の動作環境下において記録紙の浮き上がりを防止するのに必要最小限の強さに設定しておくと、低温時には吸引力が足りず、記録紙の浮き上がりを防止できなくなることがある。例えば、記録紙がラベル用紙の場合には、剥離台紙とこれに貼り付けられたラベルとの間で熱膨張率や熱収縮率が異なるので温度変化によりラベル用紙に反りが発生することがあるが、この反りが低温の動作環境下で発生した場合には、剥離台紙とラベルの双方の腰がそれぞれに強くなっているので、吸引力が足りなくなり、反った部分を平坦な状態にできない。
【０００６】
このような事態を回避するために、吸引手段の吸引力は、動作を保証する最低温度の動作環境下で記録紙の浮き上がりを防止することができる吸引力を基準として必要以上に強く設定されている。
【０００７】
ここで、記録紙の腰の強弱の変化は、記録紙に働く張力の変化や、記録紙の種類の相違に拘わらず、温度の変化に伴って常に発生する。従って、上記の文献のような制御手段を備えていても、吸引手段の吸引力は低温の動作環境下の吸引力を基準にして必要以上に強く設定しておかなければならない。しかし、吸引力を強くすると、吸引により発生する風音などの騒音が大きくなってしまうという問題点がある。また、吸引手段の吸引力を強くするためには、この吸引手段を構成する吸引ファンなどの回転数を上昇させなければならないので、装置の消費電力が増大してしまうという問題がある。
【０００８】
本発明の課題は、このような点に鑑みて、低温時においても印刷位置における記録紙の浮き上がりを防止することができるとともに、常温時には吸引手段の吸引力を必要以上に強くすることがないプリンターを提案することにある。
【課題を解決するための手段】
【０００９】
上記の課題を解決するために、本発明は、プラテンの表面に記録紙を吸引するための吸引手段を有するプリンターにおける記録紙の吸引力制御方法であって、
温度検出手段の検出温度を取得し、
取得された前記検出温度に基づいて、前記吸引手段による吸引力を制御することを特徴とする。
【００１０】
本発明は、検出温度に基づいて吸引手段の吸引力を変化させるので、温度変化に伴って変化する記録紙の腰の強弱の変化、すなわち、記録紙の曲げに対する抵抗性の変化に応じて吸引手段の吸引力を変化させることができる。従って、例えば、検出温度が低いときには、記録紙は腰が強く曲げに対する抵抗性が大きいので、吸引手段の吸引力を強くして記録紙を吸引する。検出温度が高いときには、記録紙は腰が弱くなり曲げに対する抵抗性も減少するので、吸引手段の吸引力を弱くして吸引する。この結果、吸引手段の吸引力を、動作を保証する最低温度の動作環境下で記録紙の浮き上がりを防止することができる吸引力を基準として必要以上に強く固定しておく必要がなく、温度変化に対応させた適切な吸引力とすることができる。よって、吸引により発生する風音などの騒音を低減できる。また、吸引手段の吸引力を吸引ファンの回転数などで制御すれば、装置の消費電力を抑制できる。
【００１１】
本発明において、吸引手段の吸引力を適切な強さに設定するためには、少なくとも電源が投入されたときに、前記検出温度を取得することが望ましい。
【００１２】
また、本発明において、印刷ジョブが開始される前に吸引手段の吸引力を適切な強さに設定するためには、少なくとも上位機器から印刷データを受信すると、前記検出温度を取得することが望ましい。
【００１３】
この場合には、前記印刷データの印刷が終了するまでの間、所定間隔で前記検出温度を取得することが好ましい。一般的に、印刷が一定時間以上継続して行われる場合には、印刷位置にある印刷ヘッドの温度が上昇する。また、記録紙を搬送するためのモーターからの排熱などにより、プリンター筐体内の温度が上昇するので、印刷位置の近傍の検出温度が上昇する。従って、印刷ジョブが始まってから終了するまでの間、所定間隔で検出温度を取得し、取得した検出温度に基づいて吸引手段の吸引力を制御すれば、検出温度の上昇に対応するように吸引手段の吸引力を変化させることができる。この結果、吸引手段の吸引力を常に適切な強さにすることできる。また、吸引手段の吸引力を吸引ファンの回転数などで制御している場合には、検出温度の上昇に伴って吸引ファンの回転数を低減させることができるので、消費電力を抑制する効果が大きくなる。
【００１４】
この場合において、吸引手段の吸引力の制御を簡易に行うためには、前記検出温度が予め定めた基準温度以上か否かを判定し、前記基準温度よりも低い場合には前記吸引力を第１吸引力にし、前記基準温度以上の場合には前記吸引力を前記第１吸引力よりも弱い第２吸引力にすることが望ましい。
【００１５】
次に、本発明は、プラテンの表面に記録紙を吸引するための吸引手段を有するプリンターにおいて、
温度を検出する温度検出手段と、
前記温度検出手段の検出温度を取得し、前記検出温度に基づいて前記吸引手段による吸引力を制御する制御部とを有することを特徴とする。
【００１６】
本発明のプリンターは、検出温度に基づいて吸引手段の吸引力を制御するので、温度変化に伴って変化する記録紙の腰の強弱の変化、すなわち、記録紙の曲げに対する抵抗性の変化に応じて吸引手段の吸引力を変化させることができる。従って、例えば、検出温度が低いときには、記録紙は腰が強く曲げに対する抵抗性が大きいので、吸引手段の吸引力を強くして記録紙を吸引する。検出温度が高いときには、記録紙は腰が弱くなり曲げに対する抵抗性も減少するので、吸引手段の吸引力を弱くして記録紙を吸引する。この結果、吸引手段の吸引力を、動作を保証する最低温度の動作環境下で記録紙の浮き上がりを防止することができる吸引力を基準として必要以上に強く固定しておく必要がなく、温度変化に対応させた適切な吸引力とすることができる。よって、吸引により発生する風音などの騒音を低減できる。
【００１７】
本発明において、吸引手段の吸引力を適切な強さに設定するためには、前記制御部は、少なくとも電源が投入されたときに、前記検出温度を取得することが望ましい。
【００１８】
また、本発明において、印刷ジョブが開始される前に吸引手段の吸引力を適切な強さに設定するためには、前記制御部は、少なくとも上位機器から印刷データを受信すると、前記検出温度を取得することが望ましい。
【００１９】
この場合において、印刷ジョブの間においても吸引手段の吸引力を適切な強さに変更するためには、前記制御部は、前記印刷データの印刷が終了するまでの間、所定間隔で前記検出温度を取得することが望ましい。
【００２０】
本発明において、前記吸引手段は、吸引ファンを含んでおり、前記制御部は、前記吸引ファンの回転数を変えることにより前記吸引力を制御することが望ましい。このようにすれば、吸引力を弱くしたときに、吸引ファンおよび装置の消費電力を抑制できる。また、吸引ファンで発生する騒音を低減できる。
【００２１】
この場合において、吸引手段の吸引力の制御を簡易に行うためには、前記制御部は、前記検出温度が予め定めた基準温度以上か否かを判定する判定手段と、前記検出温度が前記基準温度よりも低い場合には、前記吸引ファンの回転数が第１回転数になるように前記吸引ファンを駆動制御し、前記検出温度が前記基準温度以上の場合には、前記吸引ファンの回転数が前記第１回転数よりも少ない第２回転数になるように前記吸引ファンを駆動制御する吸引ファン出力制御手段を備えていることが望ましい。
【００２２】
また、本発明は、インクジェット印刷ヘッドを備えており、前記温度検出手段は、インクの吐出制御を行うために前記インクジェット印刷ヘッドに取り付けられている温度センサーであることが望ましい。このようにすれば、新たに温度検出手段を設ける必要がなく、既存の温度センサーを利用して、印刷位置を規定するインクジェット印刷ヘッドと吸引プラテンの近傍で、記録紙の環境温度を測定でき、吸引手段の吸引力を制御することができる。
【発明の効果】
【００２３】
本発明は、印刷位置の近傍の検出温度に基づいて吸引手段の吸引力を変化させるので、温度変化に伴って変化する記録紙の腰の強弱の変化、すなわち、記録紙の曲げに対する抵抗性の変化に応じて吸引手段の吸引力を変化させることができる。従って、吸引手段の吸引力を、動作を保証する最低温度の動作環境下で記録紙の浮き上がりを防止することができる吸引力を基準として必要以上に強く固定しておく必要がなく、温度変化に対応させた適切な吸引力とすることができる。よって、吸引により発生する風音などの騒音を低減できる。また、吸引手段の吸引力を吸引ファンの回転数などで制御すれば、装置の消費電力を抑制できる。
【図面の簡単な説明】
【００２４】
【図１】本発明を適用したプリンターの外観斜視図である。
【図２】プリンターの開閉蓋を開けた状態を示す外観斜視図である。
【図３】プリンターの内部構造を示す概略縦断面図である。
【図４】記録紙の吸引機構を示す部分斜視図である。
【図５】プリンターの制御系を示す概略ブロック図である。
【図６】（ａ）は紙送り時の記録紙の吸引制御動作を示すフローチャートであり、（ｂ）は吸引ファンの回転数の変化の一例を示すタイムチャートである。
【発明を実施するための形態】
【００２５】
以下に、図面を参照して、本発明を適用したプリンターの実施の形態を説明する。
【００２６】
（全体構成）
図１は本実施の形態に係るインクジェット式のプリンターの外観斜視図であり、図２はその開閉蓋を全開にした状態の外観斜視図である。
【００２７】
プリンター１は全体としてほぼ直方体形状をしたプリンター本体２と、プリンター本体２の前面に取り付けた開閉蓋３とを有している。プリンター本体２の外装ケース２ａの前面には所定幅の記録紙排出口４が形成されている。記録紙排出口４の下側には排紙ガイド５が前方に突出しており、この排紙ガイド５の側方には蓋開閉レバー６が配置されている。排紙ガイド５および蓋開閉レバー６の下側には、プリンター本体２の内部に形成されているロール紙収納部７の開口部が形成されており、この開口部は開閉蓋３によって封鎖されている。
【００２８】
蓋開閉レバー６を操作すると開閉蓋３のロックが解除される。ロック解除後、開閉蓋３に搭載されている排紙ガイド５を前方に引くと、図２に示すように、開閉蓋３が下端部を中心として前方にほぼ水平となるまで開く。開閉蓋３が開くと、ロール紙収納部７が開放状態となる。同時に、印刷位置を規定しているプラテン８が開閉蓋３と一緒に移動して、ロール紙収納部７から記録紙排出口４に至る記録紙搬送経路が開放状態となり、プリンター前方からロール紙９の交換作業などを簡単に行うことができる。
【００２９】
プラテン８の表面８ａにはロール紙９から繰り出される長尺状の記録紙１０を吸引するための吸引部１１が形成されている。吸引部１１は、複数のリブによって仕切られている溝状の複数の吸引区画１２と、各吸引区画１２の底面に形成されている吸引孔１３とを備えている。
【００３０】
（内部構造）
図３に示すように、プリンター１の内部には、プリンター本体フレーム１４におけるプリンター幅方向の中央部分にロール紙収納部７が形成されている。ロール紙収納部７にはロール紙９の中心軸がプリンター幅方向に向いた横置き状態で収納される。ロール紙収納部７に装填されたロール紙９から繰り出される長尺状の記録紙１０は、斜め上方に引き出された後に湾曲状のテンションガイド１５によって湾曲させられ、しかる後に水平方向に延びて記録紙排出口４に至る記録紙搬送路１６に沿って搬送される。テンションガイド１５はバネ力によって上方に付勢されており、テンションガイド１５を通過した記録紙１０には、所定の張力が付与される。
【００３１】
水平方向に延びている記録紙搬送路１６の部分はロール紙収納部７の真上に位置している。この記録紙搬送路部分１６ａには、インクジェット印刷ヘッド１７およびプラテン８が一定のギャップで対向配置されている。プラテン８はプリンター前後方向に水平に延びるプラテンフレーム１８に搭載されており、このプラテン８によってインクジェット印刷ヘッド１７の印刷位置Ａが規定されている。インクジェット印刷ヘッド１７はインクノズル面が下向きになるようにキャリッジ１９に搭載されている。インクジェット印刷ヘッド１７の内部には、インクジェット印刷ヘッド１７の温度状態を測定する温度センサー２０が搭載されている。温度センサー２０はインクの吐出制御を行うためのものであり、サーミスタなどからなる。キャリッジ１９はキャリッジガイド軸２１に沿って、キャリッジモーター２２によってプリンター幅方向に往復移動する。
【００３２】
印刷位置Ａよりも下流側にはカット位置Ｂが設けられている。カット位置Ｂにはオートカッター２３が配置されており、印刷位置Ａで印刷が行われた記録紙１０は、カット位置Ｂにおいて幅方向に切断されるようになっている。
【００３３】
記録紙搬送路部分１６ａにおける印刷位置Ａの上流側には紙送りローラー２４が配置されている。紙送りローラー２４は紙送りモーター２５（図５参照）によって回転駆動される。紙送りローラー２４には第１押さえローラー２６が連れ回りするように押し付けられている。
【００３４】
テンションガイド１５の下方には、繰り出しローラー２７が配置されている。繰り出しローラー２７はロール紙収納部７から記録紙１０を繰り出すためのものであり、繰り出しモーター２８（図５参照）によって回転駆動されるようになっている。繰り出しローラー２７には第２押さえローラー２９が連れ回りするように押し付けられている。第２押さえローラー２９はプラテンフレーム１８の下側から後に向かって延びる押さえレバー３０の先端部分に取り付けられている。押さえレバー３０はバネ力によって下方に付勢されており、これにより第２押さえローラー２９は繰り出しローラー２７に押し付けられている。
【００３５】
ロール紙収納部７の後方には、吸引ファン（吸引手段）３１が配置されている。プラテン８の吸引部１１と吸引ファン３１の吸気口３２との間には吸気流路が形成されている。吸引ファン３１には排気ダクト３３が取り付けられており、この排気ダクト３３により排気流路が形成されている。吸引ファン３１が動作すると、吸引部１１から吸気流路を介して吸引ファン３１に向かい、排気流路から排出される気流が発生するので、プラテン８の表面８ａの吸引部１１において記録紙１０を吸引することができる。
【００３６】
開閉蓋３を開くと、プラテン８、テンションガイド１５、紙送りローラー２４、押さえレバー３０、第２押さえローラー２９などの部品は開閉蓋３と一緒に前方へ移動して、ロール紙収納部７と記録紙搬送路１６が開放状態になる。従って、開放状態になった空間を介して、記録紙１０が引き出された状態のロール紙９をロール紙収納部７に投入することができる。また、開閉蓋３を閉じると、プラテン８、テンションガイド１５、紙送りローラー２４、押さえレバー３０、第２押さえローラー２９などの部品が元の位置に復帰して記録紙搬送路１６が形成されると共に、プラテン８がインクジェット印刷ヘッド１７に一定のギャップで対峙して印刷位置Ａを規定する状態になる。同時に、引き出されていた記録紙１０が記録紙搬送路１６上でプラテン８上の印刷位置Ａを通過した状態にセットされる。
【００３７】
印刷時には、記録紙１０はプラテン８の表面８ａに吸引された状態で搬送されて、印刷位置Ａを通過する。印刷位置Ａではキャリッジ１９をキャリッジガイド軸２１に沿って往復移動させながら、そこに搭載されているインクジェット印刷ヘッド１７により印刷が行われる。記録紙１０の幅方向への一連の行印刷が終了した後は、紙送りローラー２４および繰り出しローラー２７が回転駆動されて、所定ピッチだけ記録紙１０が送り出される。この後に、次の行の印刷が行われる。このように、記録紙１０は、所定ピッチで間欠的に送り出されながらインクジェット印刷ヘッド１７によって印刷が施される。印刷が終了すると、記録紙１０はカット位置Ｂでオートカッター２３により切断される。
【００３８】
（記録紙の吸引機構）
図４は記録紙１０の吸引機構を取り出して示した部分斜視図である。記録紙１０をプラテン８に吸引するための吸引機構は、吸引ファン３１、プラテン８の吸引部１１、吸気流路および排気流路を有している。
【００３９】
吸引ファン３１は、シロッコファンであり、ロール紙収納部７の後方のプリンター本体フレーム１４の背板部分１４ａの背面側に取り付けられている。吸引ファン３１は羽根の回転中心軸線がプリンター前後方向を向くように配置されており、その吸気口３２は背板部分１４ａに形成された開口から前方を向いている。また、その排気口３４は、背板部分１４ａの上側でプリンター幅方向を向いている。
【００４０】
プラテン８は、その内部が中空にして構成されており、この中空部分が吸引部１１と連通するプラテン側空気通路３５となっている。プラテンフレーム１８におけるプラテン８の側方には、インクジェット印刷ヘッド１７を搭載したキャリッジ１９の移動範囲を確保するためのスペースを利用して、インクジェット印刷ヘッド１７から吐出されるインク液滴に起因して発生するインクミストを回収するインクミスト回収部３６が形成されている。インクミスト回収部３６の後端下側の部位、すなわち、印刷領域から側方に外れた位置には、プラテン側空気通路３５のプラテン側開口端３７が形成されている。プラテン側開口端３７は下方および背面側に向いて傾斜しており、そこにはパッキン３８が取り付けられている。
【００４１】
プラテン側空気通路３５のプラテン側開口端３７と吸引ファン３１の吸気口３２とは吸気ダクト３９によって接続されている。吸気ダクト３９は一方の開口端が吸引ファン３１の吸気口３２と繋がるように背板部分１４ａに取り付けられており、他方の開口端側はインクミスト回収部３６の後側において、ロール紙収納部７の側方をプリンター本体２の側面に沿って前面側に向って延びた後に上方に向って折れ曲がったＬ字形状をしている。折れ曲がり部分の端部に形成されているダクト開口端４０は上方および前面に向いて傾斜しており、そこにはパッキン４１が取り付けられている。吸気ダクト３９の幅寸法とインクミスト回収部３６の幅寸法とは略同一に構成されている。また、吸気ダクト３９の断面形状は矩形になっている。
【００４２】
図４に示すように、開閉蓋３を閉じた状態では、プラテンフレーム１８がほぼ水平に保持され、プラテン８は印刷位置Ａを規定する姿勢になる。この状態では、プラテン側開口端３７およびダクト開口端４０はパッキン３８、４１を介して気密状態で当接する。従って、プラテン８の表面８ａの吸引部１１は、プラテン側空気通路３５および吸気ダクト３９からなる吸気流路を介して、吸引ファン３１の吸気口３２に接続される。
【００４３】
一方、開閉蓋３を開くと、プラテン８は開閉蓋３と一緒にプリンター本体２の前方に移動するので、プラテン側開口端３７と、ダクト開口端４０との間が離間して、吸引ファン３１の吸気口３２とプラテン８の吸引部１１とが切り離される。
【００４４】
なお、インクミスト回収部３６はインクミストを吸引するためのミスト吸引孔４２を備えており、このミスト吸引孔４２はプラテン側空気通路３５に連通している。従って、プラテン８の表面８ａへ記録紙１０を吸引するためのプラテン側空気通路３５、吸気ダクト３９、吸引ファン３１を利用して、インクミストを回収するための吸引機構が構成されている。
【００４５】
次に、排気流路を構成する排気ダクト３３は、吸引ファン３１の排気口３４を覆うようにして背板部分１４ａに背面側から被せられた断面Ｕ字形状のダクトカバー４３を備えている。ダクトカバー４３と背板部分１４ａの背面との間が排気ダクト３３となっている。排気ダクト３３は排気口３４から下方に向かって湾曲しており、下端には排気開口４４が形成されている。
【００４６】
プラテン８の吸引部１１と吸引ファン３１の吸気口３２とが接続された状態で吸引ファン３１が駆動されると、吸引部１１の各吸引区画１２から空気が吸い込まれて、吸引ファン３１の排気口３４から吹き出される。この結果、各吸引区画１２内には負圧が発生するので、記録紙１０はプラテン８の表面８ａに吸引され、印刷位置Ａを通過する記録紙１０の部分はプラテン８の表面８ａに沿った平坦な状態に保持される。吸引ファン３１の排気口３４から吹き出される排気は、排気ダクト３３を介して排気開口４４から吹き出され、プリンター本体２の下側から排出される。
【００４７】
（制御系）
図５は、プリンター１の制御系を示す概略ブロック図である。プリンター１の制御系は、ＣＰＵ、ＲＯＭ、ＲＡＭなどを備えた制御部５０を中心に構成されている。制御部５０には、フラッシュＲＯＭなどの不揮発性メモリー５１が接続されている。制御部５０の入力側には、温度センサー２０などの検出器が接続されている。制御部５０の出力側には、各ドライバー５２〜５７を介して、インクジェット印刷ヘッド１７、キャリッジモーター２２、紙送りモーター２５、繰り出しモーター２８、オートカッター２３、吸引ファン３１、などが接続されている。
【００４８】
制御部５０には、図示しない送受信部を介して、ホスト装置５８などの上位機器から印刷を指示する印刷指令や印刷データなどが供給されるようになっている。制御部５０は、ホスト装置５８などからの印刷指令および印刷データに基づき、インクジェット印刷ヘッド１７、キャリッジモーター２２、紙送りモーター２５、繰り出しモーター２８、吸引ファン３１、オートカッター２３などの各部の駆動を制御して、印刷動作、紙送り動作、吸引動作、切断動作を実行する。
【００４９】
ここで、インクジェット印刷ヘッド１７では、温度状態によってインクジェット印刷ヘッド１７から吐出されるインクの粘度などが変化する。このため、制御部５０は、温度センサー２０の検出した温度に基づいて、インクの吐出量やそのタイミングを制御している。温度センサー２０はプラテン８の近傍にあり、その検出温度を記録紙１０の環境温度とすることができる。
【００５０】
また、印刷位置Ａの近傍の温度によって、印刷位置Ａを搬送される記録紙１０の腰の強弱が変化して記録紙１０の曲げに対する抵抗性が変化する。このため、制御部５０は、温度センサー２０の検出した検出温度を記録紙１０の環境温度として所定のタイミングで取得し、取得した環境温度に基づいて、記録紙１０をプラテン８上で紙送りする時の吸引機構によるプラテン８の表面８ａへの記録紙１０の吸引力を制御している。より具体的には、制御部５０は、環境温度が予め定めた基準温度以上か否かを判定する判定手段５９と、判定手段５９の判定結果に基づいて吸引ファン３１の吸引力を変更する吸引ファン出力制御手段６０とを備えており、環境温度が基準温度以上の場合には、吸引ファン３１の回転数を低減させて、吸引機構による吸引力を弱くしている。
【００５１】
（紙送り時の記録紙の吸引制御）
図６を参照して、プリンター１における紙送り時の記録紙１０の吸引制御について説明する。図６（ａ）は紙送り時の記録紙１０の吸引制御動作を示すフローチャートであり、図６（ｂ）は吸引ファン３１の回転数の変化の一例を示すタイムチャートである。
【００５２】
まず、不揮発性メモリー５１には、紙送り時に記録紙１０をプラテン８の表面８ａから浮き上がらない状態に保持しながら搬送するための吸引機構の制御データを、温度に対応づけた制御データテーブルとして記憶させてある。吸引機構によるプラテン８の表面８ａへの記録紙１０の吸引力は、吸引ファン３１の吸引力、すなわち、吸引ファン３１の回転数に対応しているので、制御データとしては、例えば、吸引ファン３１を目標回転数で駆動するための駆動パルス信号のデューティ比などを用いることができる。
【００５３】
本例では、プリンター１の動作を保証する最低温度の動作環境下で記録紙１０の浮き上がりを防止するのに必要な最低限の吸引力を得るための駆動パルス信号のデューティ比を求め、これを最低温度と対応付けて制御データテーブルに記憶保持させてある。また、プリンター１が一般的に使用される基準温度の動作環境下で記録紙１０の浮き上がりを防止するのに必要な最低限の吸引力を得るための駆動パルス信号のデューティ比を求め、これを基準温度と対応づけて制御データテーブルに記憶保持させてある。
【００５４】
本例の基準温度は２０℃であり、最低温度に対応付けられたデューティ比の駆動パルス信号で吸引ファン３１を駆動したときの吸引ファン３１の回転数を最大回転数（１００％）とすると、基準温度に対応付けられたデューティ比の駆動パルス信号で吸引ファン３１を駆動したときの吸引ファン３１の回転数は最大回転数の８０％になっている。すなわち、温度が低いときには記録紙１０は腰が強く曲げに対する抵抗性が大きいので、印刷位置Ａを搬送される記録紙１０の部分をプラテン８の表面８ａに沿った平坦な状態にするために強い吸引力が必要になっている。これに対して、温度が高いときには記録紙１０は腰が弱くなり曲げに対する抵抗性も減少するので、記録紙１０を平坦な状態にするのに必要な吸引力は弱くなっている。
【００５５】
次に、ホスト装置５８などの上位機器から印刷指令および印刷データが供給されると（ステップＳＴ１）、制御部５０は温度センサー２０が検出している温度を環境温度として取得する（ステップＳＴ２）。判定手段５９は、この環境温度が基準温度の２０℃以上か否かを判定する（ステップＳＴ３）。
【００５６】
環境温度が２０℃よりも低い場合には、吸引ファン出力制御手段６０は、制御データテーブルから最低温度に対応づけられたデューティ比を取り出し、このデューティ比の駆動パルス信号で吸引ファン３１を駆動する（ステップＳＴ４）。
【００５７】
温度が２０℃以上の場合には、制御データテーブルから基準温度に対応づけられたデューティ比を取り出し、このデューティ比の駆動パルス信号で吸引ファン３１を駆動する（ステップＳＴ５）。
【００５８】
その後、印刷データの印刷が継続している間、すなわち、一つの印刷ジョブが終了するまでの間は（ステップＳＴ６）、所定間隔で、環境温度の取得、環境温度が基準温度以上か否かの判定、吸引ファン３１の出力制御が繰り返される（ステップＳＴ２〜ステップＳＴ５）。
【００５９】
ここで、印刷データの印刷が一定時間以上継続して行われると、インクジェット印刷ヘッド１７の温度が上昇する。また、記録紙１０を搬送するための紙送りモーター２５や繰り出しモーター２８からの排熱などにより、プリンター本体２内の温度が上昇するので、印刷位置Ａの近傍の温度が上昇し、制御部５０が取得する環境温度も上昇する。従って、図６（ｂ）に示すように、印刷開始当初は基準温度に満たないと判定されていた環境温度が、時間ｔ１を経過したときに印刷ジョブの途中で基準温度以上であると判定されることがある。
【００６０】
このような場合には、吸引ファン出力制御手段６０は、吸引ファン３１を駆動制御する駆動パルス信号のデューティ比を、最低温度に対応付けられているデューティ比から基準温度に対応付けられているデューティ比へと変更する。この結果、吸引ファン３１の回転数は最大回転数の８０％へと低下させられる。すなわち、吸引ファン３１の吸引力が弱められる。
【００６１】
（本実施形態の効果）
以上、本例によれば、吸引ファン３１の回転数は環境温度に基づいて制御されている。従って、吸引ファン３１の回転数を、動作を保証する最低温度の動作環境下で記録紙１０の浮き上がりを防止することができる吸引力を基準として必要以上に強く固定しておく必要がない。よって、プリンター１の消費電力を抑制できる。また、記録紙１０を吸引するための風音や吸引ファン３１からの騒音を低減できる。
【００６２】
また、本例によれば、ホスト装置５８などの上位機器からの印刷を指示する印刷指令および印刷データを受信したときに環境温度を取得して、吸引ファン３１の回転数を駆動制御する。従って、印刷時には、吸引ファン３１の吸引力が適切な強さに制御される。
【００６３】
さらに、印刷データの印刷が終了するまでの間は、所定間隔で環境温度を取得しており、取得した環境温度に基づいて吸引ファン３１の回転数を駆動制御している。この結果、印刷ジョブの途中においても吸引ファン３１の回転数が低くなるような駆動制御が行われるので、吸引ファン３１やプリンター１の消費電力を抑制する効果が大きい。なお、環境温度を取得する回数は、印刷が終了するまでの間、１回でも複数回でもよく、所定間隔でなくともよい。印刷時間により、回数と間隔は適切に設定される。
【００６４】
また、本例によれば、温度センサー２０として、インクの吐出制御を行うためにインクジェット印刷ヘッド１７に取り付けられている温度センサー２０を利用しているので、吸引ファン３１の回転数を駆動制御するために、新たに温度検出手段を設ける必要がない。
【００６５】
（その他の実施の形態）
上記の例では、制御部５０は、ホスト装置５８などの上位機器から印刷指令および印刷データなどが供給されたときに環境温度を取得して吸引ファン３１の回転数を駆動制御しているが、電源が投入されたときに環境温度を取得し、取得された環境温度に基づいて、記録紙１０をプラテン８上で紙送りする時の吸引ファン３１の回転数を駆動制御してもよい。
【００６６】
また、上記の例では、基準温度を境にしてモーターの回転数を２段階に制御しているが、複数の基準温度を設けることにより、モーターの回転数を３段回以上に制御することもできる。また、リニアに変化させてもよい。
【００６７】
さらに、環境温度の変化に追随してモーターの回転数を無段階に変化させるように制御することもできる。この場合には、予め、多様な温度の動作環境下で必要な最低限の吸引力を得るための駆動パルス信号のデューティ比を測定し、温度変化とデューティ比との対応関係から、いずれの温度の動作環境下でも記録紙１０の浮き上がりを防止するのに必要な最低限の吸引力を得ることができるような関係式を求めておき、この関係式に基づいて吸引ファン３１を駆動制御すればよい。
【００６８】
なお、記録紙１０の用紙種類によって、吸引手段の吸引力を制御する場合には、各温度の動作環境下で必要な最低限の吸引力を得るための駆動パルス信号のデューティ比を求める際に、用紙種類毎にこのデューティ比を求めておく。また、制御データとして、用紙種類、温度、デューティ比を対応付けた制御データテーブルを不揮発性メモリー５１に記憶保持させる。そして、印刷時には、印刷指令および印刷データに含まれている用紙情報から用紙種類を特定し、この用紙種類と環境温度に対応づけられたデューティ比を取り出して、吸引ファン３１を駆動制御する。
なお、上記の例では、吸引ファン３１の吸引力をデューティ比に基づいて制御しているが、吸引ファン３１のモーターへの供給電圧や供給電流を変えることによって、その吸引力を制御してもよい。
【符号の説明】
【００６９】
１・プリンター、２・プリンター本体、２ａ・外装ケース、３・開閉蓋、４・記録紙排出口、５・排紙ガイド、６・蓋開閉レバー、７・ロール紙収納部、８・プラテン、９・ロール紙、１０・記録紙、１１・吸引部、１２・吸引区画、１３・吸引孔、１４・プリンター本体フレーム、１４ａ・背板部分、１５・テンションガイド、１６・記録紙搬送路、１７・インクジェット印刷ヘッド、１８・プラテンフレーム、１９・キャリッジ、２０・温度センサー、２１・キャリッジガイド軸、２２・キャリッジモーター、２３・オートカッター、２４・紙送りローラー、２５・紙送りモーター、２６・２９・押さえローラー、２７・繰り出しローラー、２８・繰り出しモーター、３０・押さえレバー、３１・吸引ファン、３２・吸気口、３３・排気ダクト、３４・排気口、３５・プラテン側空気通路、３６・インクミスト回収部、３７・プラテン側開口端、３８・４１・パッキン、３９・吸気ダクト、４０・ダクト開口端、４２・ミスト吸引孔、４３・ダクトカバー、４４・排気開口、５０・制御部、５１・不揮発性メモリー、５２〜５７・ドライバー、５８・ホスト装置、５９・判定手段、６０・吸引ファン出力制御手段
【図１】
2010201678.tif 000003
【図２】
2010201678.tif 000004
【図３】
2010201678.tif 000005
【図４】
2010201678.tif 000006
【図５】
2010201678.tif 000007
【図６】
2010201678.tif 000008